(57)【要約】【課題】  取付け時のストレスを減少して、消音器の破損を抑制することができる農作業車輌の消音器出口管固定装置を提供する。【解決手段】  消音器出口管固定装置である支持部材１７は、ラジエータブラケット１６と接続する際のボルト２０ａを通す穴を上下方向の縦長の穴Ａとし、消音器出口管６を支持部材１７に繋止する際のボルト２０ｃを通す穴を前後方向の横長の穴Ｂとすることで、前後及び上下の２次元のストレスを吸収することができるので、該ストレスによる消音器の破損を抑制することができるようになる。【選択図】      図２
2006009730.tif 000002
【特許請求の範囲】
【請求項１】
エンジン前方にラジエータを配置し、かつ前記エンジンからの排ガスを消音器に導入して、該消音器に固定された出口管から排出してなる農作業車輌において、
前記ラジエータと、前記エンジン後方の遮風板とを支持部材にて連結し、
前記支持部材を、前記ラジエータに上下方向調節自在に固定し、かつ前記消音器の出口管を、前記支持部材に前後方向調節自在に固定した、
ことを特徴とする農作業車輌の消音器出口管固定装置。
【発明の詳細な説明】
【技術分野】
【０００１】
本発明は、農作業車輌の消音器に関し、特に、消音器の出口管を固定する際の農作業車輌の消音器出口管固定装置に関する。
【背景技術】
【０００２】
従来、トラクタ等の作業車輌に設けられる消音器は、エンジンから排出される排気ガスを導入することでその排気音を消音する消音器本体と、消音器本体に導入された排気ガスを排出する消音器出口管とを備えている。
【０００３】
この消音器出口管を固定させる際には、取付用のプレート等を固定装置として用い、ラジエータを支えているラジエータブラケット等にネジ止めすることによって支持している。
【０００４】
また、前部のラジエータステーと後部のゴム支持部との間にマフラーステーを取り付け、このマフラーステーにマフラーを支持することによってエンジンの振動がマフラーに伝達されないようにするマフラー支持装置が提案されている（特許文献１参照）。
【０００５】
【特許文献１】実開昭６１−３０５３０号公報
【発明の開示】
【発明が解決しようとする課題】
【０００６】
しかしながら、上述したような取付用のプレート等の固定装置やマフラー支持装置では、消音器出口管を取付ける先がラジエータブラケットやラジエータステー等に決まっていたため、その部品公差は上下方向の１次元しかなく、取付けた状態での消音器の接続部材や消音器出口管に対して絶えずストレスが掛かるという問題があった。
【０００７】
そこで、本発明は上記従来技術に鑑みてなされたものであり、取付けた状態での消音器の接続部材や消音器出口管等に掛かるストレスを減少し、それに起因する消音器の周辺部材の破損を抑制することができる農作業車輌の消音器出口管固定装置を提供することを目的とするものである。
【課題を解決するための手段】
【０００８】
前記目的を達成するため、請求項１に係る発明は、エンジン（９）前方にラジエータ（１０）を配置し、かつ前記エンジン（９）からの排ガスを消音器（７）に導入して、該消音器（７）に固定された出口管（６）から排出してなる農作業車輌（１）において、前記ラジエータ（１０）と、前記エンジン（９）後方の遮風板（１１）とを支持部材（１７）にて連結し、前記支持部材（１７）を、前記ラジエータ（１０）に上下方向調節自在に固定し、かつ前記消音器（７）の出口管（６）を、前記支持部材（１７）に前後方向調節自在に固定した、ことを特徴とする。
【発明の効果】
【０００９】
請求項１に係る本発明によると、消音器出口管を、ラジエータを補強支持する支持部材を利用して固定するため、専用の支持部材を必要とせず、部品点数を減少し得ると共に、該消音器出口管を、前後及び上下の２次元にて調節可能に取付けることができ、取付け時のストレスを減少して、該ストレスによる消音器の破損を抑制することができる。
【発明を実施するための最良の形態】
【００１０】
以下、本発明の実施の形態にかかる作業車輌を図１乃至図４に沿って説明する。図１は本実施の形態にかかる作業車輌の側面図、図２は消音器の取付状態を示す側面図、図３は消音器の取付状態を示す平面図、図４は消音器出口管の取付状態を示す側面図である。
【００１１】
図１に示すトラクタ１は、圃場の耕作等をおこなう作業車輌であり、機体前部の左右及び機体後部の左右に配設される車輪により支持される。
【００１２】
このトラクタ１には、原動機部２として図２に示すようなエンジン９やラジエータ１０等がエンジンフード１９内に搭載されており、エンジン９の動力は無段変速装置等を介して伝達される。機体中央の操作部３には、トラクタ１の操作者が扱うステアリングハンドル、座席シート、各種操作レバー等の機体操作をおこなう運転席が配設され、機体後部の昇降リンク機構部５には、昇降リンクを介してロータリ耕耘機等の作業機を昇降自在に支持する機構が配設される。
【００１３】
図２及び図３は、原動機部２内の消音器７の取付状態を示している。エンジンフード１９内の前部には、エンジン９を冷却するためのラジエータ１０が、ラジエータブラケット１６に支持されて配設されている。また、エンジンフード１９内の後部には、走行中にエンジンフード１９内に吸気される外気や、ラジエータ１０によって吸排気された空気等、を遮蔽するための遮風板１１がクラッチハウジング等に設置されている。消音器７は、エンジン９の左半の上側であって、ラジエータ１０と遮風板１１との間に配設される。
【００１４】
この消音器７は、エンジン９の排気ガスを導入してその排気音を消音する本体と、エンジン９の排気マニホールド１２と消音器７とを接続する接続部材１３と、消音器７から排気ガスを排気する消音器出口管６とによって構成されている。
【００１５】
消音器７は、両端が塞がれた円筒状の外皮２１を備え、その内部に形成される拡張室で排気ガスを減圧させる。この外皮２１の外周面の一端部には排気ガスを導入する入口２１ａが設けられ、他端部には出口２１ｂが設けられている。
【００１６】
入口２１ａには、鋼管材或いは鋳造品で構成される接続部材１３が排気マニホールド１２からの排気ガスを導入するために接続される。この接続部材１３が、消音器７と排気マニホールド１２とに連結されることにより、消音器７を支持する支点の１つとなっている。
【００１７】
また、出口２１ｂには、鋼管材からなる消音器出口管６が接続され、その外周は外皮２１に溶着されている。そして、消音器出口管６の出口２１ｂ側の近傍には、消音器出口管６を支持するための取付プレート１５が溶着されている。
【００１８】
一方、ラジエータブラケット１６と遮風板１１との間には、ラジエータ１０を補強支持する支持部材１７（消音器出口管固定装置）が設置される。
【００１９】
この支持部材１７のラジエータブラケット１６側の先端はＬ字型に曲げられ、曲げられた面とラジエータブラケット１６の面とはボルト２０ａを用いて前後方向でネジ止めされている。また、支持部材１７の遮風板１１側の先端は、遮風板１１から凸設された鋼板部材とボルト２０ｂを用いて左右方向でネジ止めされている。これら支持部材１７をネジ止めする穴のうちボルト２０ａを用いて繋止する穴は、図４の穴Ａに示すような上下方向に縦長の長穴となっている。
【００２０】
このラジエータブラケット１６と遮風板１１との間に設置される支持部材１７は、前述した消音器７に接続されている消音器出口管６を接続して固定するための部材である。つまり、消音器出口管６に溶着された取付プレート１５は、この支持部材１７にネジ止めするために設けられるものであり、取付プレート１５とこの支持部材１７とをボルト２０ｃを用いてネジ止めすることによって消音器出口管６が固定される。そして、このボルト２０ｃを用いて消音器出口管６を繋止する穴は、図４の穴Ｂに示されるような前後方向に横長の長穴となっている。
【００２１】
上述したように、支持部材１７をラジエータブラケット１６に設置するための穴Ａと、消音器出口管６を支持部材１７に繋止するための穴Ｂとが、それぞれ上述したような長穴として形成されることにより、消音器出口管６の取付け位置の自由度が増し、消音器７の周辺部材に無理な応力をかけずに設置することができる。
【００２２】
以上説明したように、本実施の形態にかかる消音器出口管固定装置によれば、消音器出口管固定装置である支持部材１７は、ラジエータブラケット１６と接続する際のボルト２０ａを通す穴を上下方向に縦長の穴Ａとし、消音器出口管６を支持部材１７に繋止する際のボルト２０ｃを通す穴を前後方向に横長の穴Ｂとすることで、消音器出口管６の取付け位置の自由度が増し、消音器７の周辺部材に掛かるストレスの減少を図ることができるので、該ストレスに起因した破損を抑制することができるようになる。
【００２３】
また、本実施の形態にかかる消音器出口管固定装置によれば、消音器出口管固定装置としてラジエータ１０を補強支持する支持部材１７を用いることにより、他の専用の部材を必要としないので、部品点数を減少し得ると共にコストの削減を図ることができるようになる。
【００２４】
なお、本実施の形態においては、支持部材１７を設置する部材をラジエータブラケット１６及び遮風板１１として説明したが、遮風板１１だけに限らず、ラジエータ１０を支持できるものであれば他のシャーシ類等を用いてもよい。
【図面の簡単な説明】
【００２５】
【図１】本実施の形態にかかる作業車輌の側面図。
【図２】消音器の取付状態を示す側面図。
【図３】消音器の取付状態を示す平面図。
【図４】消音器出口管の取付状態を示す側面図。
【符号の説明】
【００２６】
１  作業車輌（農作業車輌）
６  消音器出口管（出口管）
７  消音器
９  エンジン
１０  ラジエータ
１１  遮風板
１７  支持部材
【図１】
2006009730.tif 000003
【図２】
2006009730.tif 000004
【図３】
2006009730.tif 000005
【図４】
2006009730.tif 000006